(57)【要約】  【課題】  集草ボックスをその水平状の回動軸心回りに上下回動可能に構成した芝刈機において、走行機体全体を一体感のある外観に仕上げて見栄えをよくするとともに、集草ボックスの上面を覆う蓋カバー体の着脱作業を簡単にできるようにする。  【解決手段】  集草ボックス２３の上面に、この集草ボックス２３の回動軸心よりも前方上寄りの部位を中心にして上下回動可能な蓋カバー体２５を配置する。蓋カバー体２５の後端部を集草ボックス２３に対して、集草ボックス２３の姿勢切替え回動に伴って蓋カバー体２５の前後方向に相対的にずれ移動可能な状態で支持させる。【選択図】  図４
2005204530.tif 000002
【特許請求の範囲】
【請求項１】
走行機体に昇降動可能に装着したモア装置と、当該モア装置から後ろ向きに延びる略筒状の排出ダクトと、この排出ダクトが連通する集草ボックスとを備え、前記集草ボックスの姿勢をその開口部が前記排出ダクトの排出口に対面する集草姿勢と前記開口部が地面に対面する排出姿勢とに切り替え得るように、前記集草ボックスをその水平状の回動軸心回りに上下回動可能に構成した芝刈機において、
前記集草ボックスの上面に、前記集草ボックスの前記回動軸心よりも前方上寄りの部位を中心にして上下回動可能な蓋カバー体を配置し、前記蓋カバー体の後端部を前記集草ボックスに対して、前記集草ボックスの姿勢切替え回動に伴って前記蓋カバー体の回動中心に交差する方向に相対的にずれ移動可能な状態で支持させたことを特徴とする芝刈機における集草ボックスのカバー装置。
【請求項２】
前記蓋カバー体の回動中心部を、前記集草ボックスの上面に対して着脱可能に連結する一方、
前記蓋カバー体の裏面及び前記集草ボックスの上面のうちいずれか一方に、前記回動中心に向かって延びる案内レールを設け、他方には、回転可能な左右一対の転動コロを配設し、
前記案内レールの左右両側面に、その全長にわたって延び且つ左右外向きに開口する一対の溝状ガイド部を形成し、前記案内レールを左右両側から挟み込むように、前記各溝状ガイド部に前記転動コロをそれぞれ着脱可能に嵌め込んだことを特徴とする請求項１に記載した芝刈機における集草ボックスのカバー装置。
【発明の詳細な説明】
【技術分野】
【０００１】
本発明は、芝刈機における刈取芝収容用の集草ボックスの上面を覆うカバー装置の構造に関するものである。
【背景技術】
【０００２】
一般に、芝刈機は、走行機体に昇降動可能に装着したモア装置と、当該モア装置から後向きに延びる略筒状の排出ダクトと、この排出ダクトに連通する集草ボックスとを備えている。
【０００３】
この種の芝刈機の一例として特許文献１には、走行機体に配置した油圧シリンダの駆動により、集草ボックスの姿勢をその開口部が前記排出ダクトの排出口に対面する集草姿勢と開口部が地面に対面する排出姿勢とに切り替え得るように、集草ボックスをその水平状の回動軸心回りに上下回動可能に構成したものが開示されている。
【０００４】
特許文献１の集草ボックスは、軽量化のために、骨組となる枠状の支持フレームと、集草ボックスの底面を形成する底板と、支持フレーム及び底板の周囲を覆う網状の袋体と、集草ボックスの上面を覆う蓋カバー体とにより構成されている。蓋カバー体は、袋体の網目を通り抜ける塵埃が走行機体側へ回り込むのを防ぐためのものである。
【特許文献１】特開２００１−４５８２９号公報
【発明の開示】
【発明が解決しようとする課題】
【０００５】
ところで、最近の芝刈機においては、走行機体全体を一体感のある外観に仕上げて見栄えをよくするために、蓋カバー体の外観形状及び取付け位置を、走行機体の上面後部を覆うリヤカウルの後端から連続するかのように設定することが望まれている。
【０００６】
しかし、特許文献１のように、蓋カバー体を支持フレームに対してボルト及びナットで固定する構成では、蓋カバー体は、集草ボックスの回動軸心を中心にして集草ボックスと一体的に上下回動するので、集草ボックスの姿勢切替え回動に際して蓋カバー体がリヤカウル体の後端と干渉するのを回避するために、集草ボックスが集草姿勢のときに蓋カバー体の前端とリヤカウル体の後端との間に適宜隙間が空くように、蓋カバー体の取付け位置を設定しなければならない。
【０００７】
そうすると、リヤカウル体と蓋カバー体との境界（隙間）が目立って、蓋カバー体がリヤカウル体の後端から連続するかのような外観が得られないから、走行機体全体として一体感を持たせることが難しいという問題があった。
【０００８】
また、前述のように、蓋カバー体を支持フレームに対してボルト及びナットで固定する構成では、複数箇所のボルト及びナットを締め付けたり緩めたりする等の着脱作業に手間がかかるだけでなく、取り外したボルトやナットを紛失するおそれもあり、メンテナンス作業が煩雑になるという問題もあった。
【０００９】
そこで、本発明は以上のような問題を解消した芝刈機における集草ボックスのカバー装置を提供することを技術的課題とするものである。
【課題を解決するための手段】
【００１０】
この技術的課題を解決するため、請求項１の発明は、走行機体に昇降動可能に装着したモア装置と、当該モア装置から後ろ向きに延びる略筒状の排出ダクトと、この排出ダクトが連通する集草ボックスとを備え、前記集草ボックスの姿勢をその開口部が前記排出ダクトの排出口に対面する集草姿勢と前記開口部が地面に対面する排出姿勢とに切り替え得るように、前記集草ボックスをその水平状の回動軸心回りに上下回動可能に構成した芝刈機において、  走行機体に昇降動可能に装着したモア装置と、当該モア装置から後ろ向きに延びる略筒状の排出ダクトと、この排出ダクトが連通する集草ボックスとを備え、前記集草ボックスの姿勢をその開口部が前記排出ダクトの排出口に対面する集草姿勢と前記開口部が地面に対面する排出姿勢とに切り替え得るように、前記集草ボックスをその水平状の回動軸心回りに上下回動可能に構成した芝刈機において、前記集草ボックスの上面に、前記集草ボックスの前記回動軸心よりも前方上寄りの部位を中心にして上下回動可能な蓋カバー体を配置し、前記集草ボックスの上面に、前記集草ボックスの前記回動軸心よりも前方上寄りの部位を中心にして上下回動可能な蓋カバー体を配置し、前記蓋カバー体の後端部を前記集草ボックスに対して、前記集草ボックスの姿勢切替え回動に伴って前記蓋カバー体の回動中心に交差する方向に相対的にずれ移動可能な状態で支持させたというものである。
【００１１】
請求項２の発明は、請求項１に記載した芝刈機における集草ボックスのカバー装置において、前記蓋カバー体の回動中心部を、前記集草ボックスの上面に対して着脱可能に連結する一方、前記蓋カバー体の裏面及び前記集草ボックスの上面のうちいずれか一方に、前記回動中心に向かって延びる案内レールを設け、他方には、回転可能な左右一対の転動コロを配設し、前記案内レールの左右両側面に、その全長にわたって延び且つ左右外向きに開口する一対の溝状ガイド部を形成し、前記案内レールを左右両側から挟み込むように、前記各溝状ガイド部に前記転動コロをそれぞれ着脱可能に嵌め込んだというものである。
【発明の効果】
【００１２】
請求項１の構成によると、集草ボックスの上面に、前記集草ボックスの回動軸心よりも前方上寄りの部位を中心にして上下回動可能な蓋カバー体を配置し、前記蓋カバー体の後端部を前記集草ボックスに対して、前記集草ボックスの姿勢切替え回動に伴って前記蓋カバー体の回動中心に交差する方向に相対的にずれ移動可能に支持させているので、前記集草ボックスと前記蓋カバー体とは回動支点の位置が異なるにも拘らず、前記蓋カバー体を、前記集草ボックスが排出姿勢に切替え回動するにつれて前方斜め下向きの傾斜が大きい姿勢とし、前記集草ボックスが集草姿勢に切替え回動するにつれて前方斜め下向きの傾斜が小さい姿勢となるように、スムーズに上下回動させることができる。
【００１３】
また、前述の通り、前記集草ボックスと前記蓋カバー体とは回動支点の位置がそれぞれ別なので、前記蓋カバー体側の回動中心の位置をできるだけ走行機体の後端縁最上部に近付けることができる。
【００１４】
これにより、前記集草ボックスが集草姿勢のときに前記蓋カバー体と前記走行機体の後端との間に形成される隙間を、前記集草ボックスの姿勢切替え回動の際に前記蓋カバー体の前端が前記走行機体の後端に干渉しない状態で、小さく設定することができるから、前記走行機体と前記蓋カバー体との境界（隙間）が目立たず、蓋カバー体が走行機体の後端から連続するかのような外観、すなわち芝刈機全体を一体感のある外観に仕上げることができ、芝刈機の美感が向上するという効果を奏する。
【００１５】
請求項２の構成において、集草ボックスの上面に蓋カバー体を取り付けるには、左右一対の転動コロの間に、案内レールをその前端側から差し込んだのち、前記蓋カバー体を前方に移動させることにより、前記案内レールの各溝状ガイド部に、前記各転動コロを滑らせながら嵌め込む。
【００１６】
次いで、前記両転動コロを前記案内レールの後端側に移動させた状態で、前記両転動コロの箇所を中心に回動するように前記蓋カバー体を前記集草ボックスの上方から被せることにより、前記蓋カバー体の回動中心部を、前記集草ボックスの上面に対して着脱可能に連結するのである。前記蓋カバー体の取り外しは逆の手順で行える。
【００１７】
従って、請求項２の構成によると、前記蓋カバー体を、スパナやドライバ等の道具を用いることなく、手軽に取り付けたり取り外したりすることができるから、前記集草ボックスのメンテナンス作業がし易いという効果を奏する。
【００１８】
また、前記案内レールの左右両側面に、その全長にわたって延び且つ左右外向きに開口する一対の溝状ガイド部を形成し、前記案内レールを左右両側から挟み込むように、前記各溝状ガイド部に前記転動コロをそれぞれ着脱可能に嵌め込むという構成を採用したから、前記蓋カバー体が上下左右にがたつくのを確実に防止することができる。これにより、芝刈機の走行時に、前記蓋カバー体からビビリ音が発生しないという効果も奏する。
【発明を実施するための最良の形態】
【００１９】
以下、本発明を具体化した実施形態を図面（図１〜図９）に基づいて説明する。はじめに図１〜図３を参照しながら、芝刈機の概要について説明する。図１は芝刈機の全体側面図、図２は芝刈機の全体平面図、図３は芝刈機の動力伝達系統を示す平面図である。
【００２０】
図１及び図２に示すように、この実施形態の芝刈機においては、走行機体１は平面視略門型の機体フレーム２を備えている。当該機体フレーム２は、その左右両側の前後に配置した前後四輪３，３，４，４で支持されている。
【００２１】
走行機体１の上面前部を覆うフロントカウルには、動力源としてのエンジン５と、操向丸ハンドル７を有する操縦コラム部６とが搭載されている。走行機体１の上面後部を覆うリヤカウル体８内には、エンジン５からの出力を適宜変速して左右両後輪４，４に伝達するＨＳＴ式（静油圧式無断変速機構）等のミッションケース９が配置されている（図３参照）。
【００２２】
リヤカウル体８上には運転座席１０が設けられている。この運転座席１０に座ったオペレータが操向丸ハンドル７を回動操作することにより、その操作量（回動量）に応じて左右両前輪３，３のかじ取り角（操向角度）が変わるように構成されている。運転座席１０の左側には、後述するモア装置１５を昇降操作するためのモア昇降レバー１１が前後回動可能に設けられている。運転座席１０の右側には、後述する集草ボックス２３の姿勢を切り替える操作手段としての姿勢切替えレバー１２が前後回動可能に設けられている。
【００２３】
なお、操縦コラム部６の裏面（後面）側には、車速を適宜調節するための変速ペダル１３と、走行機体１を制動操作するためのブレーキペダル１４とが立設されている。
【００２４】
機体フレーム２の下面のうち左右両前輪３，３と左右両後輪４，４との間には、芝刈り用のモア装置１５が前後一対のリンク杆１６，１７を介して昇降動可能に装着されている。モア装置１５は、下向き開口椀状のモアケース１８内に、水平回転可能な左右一対のロータリ刈刃１９，１９を備えている（図３参照）。
【００２５】
また、モアケース１８の左右両側の前後には、下降時にモア装置１５の高さを調節する４つのゲージ車輪２０が取付けられている。モアケース１８には、後向きに延びるダクト部２１が設けられている。このダクト部２１は、機体フレーム２の下面のうち左右両後輪４，４の間に配置した排出ダクト２２を介して走行機体１の後部に配置した集草ボックス２３に連通している。
【００２６】
モア装置１５が地面に這わせた状態で各ロータリ刈刃１９を回転させると、地面に植立した芝草は適宜高さに刈り取られる。各ロータリ刈刃１９で刈り取った刈取芝は、モア装置１５から排出ダクト２２を経由して集草ボックス２３に収容される。
【００２７】
次に、図３を参照しながら、芝刈機の動力伝達系統について説明する。この実施形態の芝刈機では、エンジン５の回転動力の一部を左右両後輪４，４に配分する二輪駆動方式が採用されている。
【００２８】
すなわち、エンジン５の回転動力の一部は、当該エンジン５から前後外向きに突出する出力軸３１の後端部から、前後両端に自在継手を備えた推進軸３２、ミッションケース９よりも前方の部位に配置した走行用ギヤボックス３３及び無端ベルト３４を介して、ミッションケース９に伝達される。そして、このミッションケース９に左右外向きに突設した水平軸３５から無端チェーン３６を介して走行機体１の後ろ寄り部位に設けた左右長手の後輪駆動軸３７に伝達される。その結果、後輪駆動軸３７の左右両端に取付けた後輪４，４が回転駆動する。
【００２９】
他方、エンジン５の他の回転動力は、出力軸３１の前端部から、動力伝達用ベルト等の無端帯４１を介して、機体フレーム２の前部に軸支したＰＴＯ軸４２に伝達される。次いで、このＰＴＯ軸４２から、前後両端に自在継手を備えた中間軸４３、モアケース１８の上面のうち機体フレーム２よりも右側の部位に配置したモア用ギヤボックス４４及び無端ベルト４５を介して、モアケース１８のうち平面視で機体フレーム２を挟んだ両側に回転可能に軸支した縦長のロータリ軸４６，４６に動力伝達される。その結果、左ロータリ刈刃１９は平面視で時計方向に回転駆動し、右ロータリ刈刃１９は平面視で反時計方向に回転駆動する。当該両ロータリ刈刃１９，１９の回転により、モアケース１８から集草ボックス２３に向かって後向きに流れる搬送風が形成される。この搬送風が各ロータリ刈刃１９で刈り取った刈取芝を集草ボックス２３にまでスムーズに搬送する。
【００３０】
次に、図１、図２、図４及び図５を参照しながら、集草ボックス２３の構造について説明する。図４は集草ボックスと蓋カバー体との回動関係を示す側断面図、図５は機体フレームと集草ボックスとの連結構造を示す平面図である。
【００３１】
集草ボックス２３は前面を開口した略箱型のものである。集草ボックス２３のうち前面の開口部を除く周囲は、網又は布製の袋体２４で覆われている。集草ボックス２３の上面には、袋体２４の網目を通り抜ける塵埃が走行機体側へ回り込むのを防ぐための蓋カバー体２５が取り付けられている。
【００３２】
集草ボックス２３の上面のうち開口部寄りの部位（集草ボックス２３の骨組を構成する支持フレーム２８の開口部寄りの部位）は、機体フレーム２の後端部に回動可能に軸支された水平状の横支軸２６に固着されている。これにより、集草ボックス２３は、開口部が排出ダクト２２の排出口に対面する集草姿勢（図４の実線状態参照）と、開口部が地面に対面する排出姿勢（図４の二点鎖線状態参照）とに切り替え得るように、横支軸２６を回動軸心として上下回動する構成となっている。
【００３３】
横支軸２６の一端部は、姿勢切替えレバー１２の昇降回動操作に連動して横支軸２６が回動するように、リンク機構２７を介して姿勢切替えレバー１２のうち機体フレーム２に回動可能に軸支された水平軸部１２ａに連結されている（図５参照）。
【００３４】
次に、図４〜図８を参照しながら、蓋カバー体２５の構造、及びこれと集草ボックス２３との連結構造について説明する。図６のうち（ａ）は蓋カバー体の前部の取付け箇所を示す断面図、（ｂ）は（ａ）のＶＩｂ−ＶＩｂ視断面図、図７は図２のＶＩＩ−ＶＩＩ視断面図、図８は蓋カバー体の着脱態様を示す側断面図である。
【００３５】
図４及び図６（ａ）に示すように、蓋カバー体２５の前部内面にボルト締結された内カバー体５１には、例えば板ばね材等からなる断面Ω字状の弾性クリップ５２の基端がボルト締結されている。蓋カバー体２５を集草ボックス２３の上方から被せると、弾性クリップ５２が機体フレーム２の後端部に上向きに立設された門型フレーム２９の水平軸部２９ａに対して回動可能で且つ着脱可能に被嵌される。門型フレーム２９の水平軸部２９ａの位置は、横支軸２６よりも上方で且つリヤカウル体８の後端縁最上部の近傍である。弾性クリップ５２は請求項２に記載した蓋カバー体に回動中心部に相当する。
【００３６】
他方、蓋カバー体２５における後部内面の略中央部位は、支持フレーム２８の上部後端に対して、集草ボックス２３の姿勢切替え回動に伴って前後方向（弾性クリップ５２の回動軸線に交差する方向）に相対的にずれ移動可能な状態で支持されている。
【００３７】
蓋カバー体２５の後端部を支持フレーム２８に対して前後方向に相対的にずれ移動可能に支持させるための案内支持手段５３は、蓋カバー体２５における後部内面の略中央部位にボルト締結された前後長手で下向き開口略樋状の案内レール５４と、支持フレーム２８の上部後端に上向きに突設された左右一対の転動コロ５５，５５とにより構成されている（図５及び図７参照）。
【００３８】
これら各転動コロ５５は、案内レール５４を左右両側から挟み込むように、案内レール５４の左右側面から外向きに張り出した当接板部５４ａと蓋カバー体２５の後部内面との間に嵌め込まれる。従って、案内レール５４の当接板部５４ａと蓋カバー体２５の後部内面との間を各々転動する転動コロ５５により、蓋カバー体２５の後端部は支持されている。案内レール５４の当接板部５４ａと蓋カバー体２５の後部内面との間は、請求項２に記載した溝状ガイド部に相当する。案内レール５４の前端部には、舳先のように前向きく字状に突出したガイド板５６が取り付けられている。
【００３９】
以上の構成において、姿勢切替えレバー１２を上向きに傾動操作すると、集草ボックス２３は、前面の開口部が下向きになるように、横支軸２６回りに矢印Ｕ１方向に回動する。この場合、支持フレーム２８側の一対の転動コロ５５，５５が案内レール５４の当接板部５４ａと蓋カバー体２５の後部内面との間を相対的に前進するように滑りながら、蓋カバー体２５の後端部を押し上げるので、蓋カバー体２５は、集草ボックス２３に対して相対的に後退動しながら、門型フレーム２９の水平軸部２９ａ回りに矢印Ｕ２方向に回動する（図４の一点鎖線状態参照）。
【００４０】
集草ボックス２３における前面の開口部が完全に下向きになると、蓋カバー体２５も、集草ボックス２３に対して更に相対的に後退動しながら、支持フレーム２８側の両転動コロ５５，５５で押し上げられて、略垂直状に起立した状態にまで回動する（図４の二点鎖線状態参照）。この状態で、集草ボックス２３の内部に蓄えられていた刈取芝が地上に排出される。
【００４１】
その後、姿勢切替えレバー１２を下向きに傾動操作すると、集草ボックス２３は、前面の開口部が前向きになるように、横支軸２６回りに矢印Ｄ１方向に回動する。そうすると、支持フレーム２８側の両転動コロ５５，５５が案内レール５４の当接板部５４ａと蓋カバー体２５の後部内面との間を相対的に後退するように滑りながら、蓋カバー体２５の後端部を引き下げるので、蓋カバー体２５は、集草ボックス２３に対して相対的に前進動しながら、門型フレーム２９の水平軸部２９ａ回りに矢印Ｄ２方向に回動する。
【００４２】
集草ボックス２３における前面の開口部が完全に前向きになると、蓋カバー体２５も、集草ボックス２３に対して更に相対的に前進動しながら、支持フレーム２８側の両転動コロ５５，５５で引き下げられて、略水平状の状態にまで回動するのである。
【００４３】
この場合、蓋カバー体２５の後端部を、案内レール５４に沿っての相対的なずれ移動（往復動）が可能な一対の転動コロ５５，５５により下方から支持しているので、集草ボックス２３と蓋カバー体２５とは回動支点の位置が異なるにも拘らず、蓋カバー体２５を、集草ボックス２３が排出姿勢に切替え回動するにつれて前方斜め下向きの傾斜が大きい姿勢とし、集草ボックス２３が集草姿勢に切替え回動するにつれて前方斜め下向きの傾斜が小さい姿勢となるように、スムーズに上下回動させることができる。
【００４４】
また、集草ボックス２３と蓋カバー体２５とは回動支点の位置がそれぞれ別なので、蓋カバー体２５側の回動中心、すなわち門型フレーム２９の水平軸部２９ａの位置をできるだけリヤカウル体８の後端縁最上部に近付けることができる。
【００４５】
これにより、集草ボックス２３が集草姿勢のときに蓋カバー体２５とリヤカウル体８との間に形成される隙間を、集草ボックス２３の姿勢切替え回動の際に蓋カバー体２５の前端がリヤカウル体８の後端に干渉しない状態で、小さく設定することができるから、リヤカウル体８と蓋カバー体２５との境界（隙間）を目立たなくすることができ、蓋カバー体２５がリヤカウル体の後端から連続するかのような外観に仕上げることができる。すなわち、芝刈機全体を一体感のある外観に仕上げて、見栄えをよくすることができる。
【００４６】
さらに、案内支持手段５３を、蓋カバー体２５側の案内レール５４と支持フレーム２８側の一対の転動コロ５５，５５とにより構成し、これら各転動コロ５５を、案内レール５４を左右両側から挟み込むように、案内レール５４の当接板部５４ａと蓋カバー体２５の後部内面との間に嵌め込んでいるから、蓋カバー体２５の後端部を、案内レール５４に沿っての相対的なずれ移動（往復動）が可能な両転動コロ５５，５５で下方から支持することが簡単に行えるものでありながら、部品点数が少なくて済むし、故障もしにくい。
【００４７】
しかも、左右一対の転動コロ５５は、案内レール５４を左右両側から挟み込んでいるから、蓋カバー体２５が左右方向にがたつくのを防止することができる。また、各転動コロ５５は、案内レール５４の当接板部５４ａと蓋カバー体２５の後部内面との間に嵌め込んでいるから、蓋カバー体２５の上下方向のがたつきも防止することができる。
【００４８】
従って、この実施形態の案内支持手段５３の構成によると、芝刈機の走行時に、蓋カバー体からビビリ音が発生することがないのである。
【００４９】
集草ボックス２３の上面に蓋カバー体２５を取り付けるには、左右一対の転動コロ５５，５５の間に、案内レール５４をその前端側（ガイド板５６側）から差し込んだのち、蓋カバー体２５を前方（案内レール５４の延びる方向）に移動させることにより、案内レール５４の各当接板部５４ａと蓋カバー体２５の後部内面との間に、各転動コロ５５を滑らせながら嵌め込む（図８の二点鎖線状態参照）。
【００５０】
この場合、案内レール５４の前端部に前向きく字状のガイド板５６を取り付けているので、両転動コロ５５，５５の間に案内レール５４を差し入れる際に、案内レール５４の左右両側に両転動コロ５５，５５をスムーズに案内することができる。
【００５１】
次いで、両転動コロ５５，５５を案内レール５４の基端側（後端側）に移動させた状態で、両転動コロ５５，５５の箇所を中心に回動するように蓋カバー体２５を集草ボックス２３の上方から被せることにより、弾性クリップ５２を、機体フレーム２における門型フレーム２９の水平軸部２９ａに弾性に抗して被嵌するのである（図４及び図８の実線状態参照）。蓋カバー体２５の取り外しは逆の手順で行える。
【００５２】
従って、蓋カバー体２５は、スパナやドライバ等の道具を用いることなく手軽に取付け・取外しを行うことができ、集草ボックス２３のメンテナンス作業がし易いのである。
【００５３】
なお、図６（ａ）に詳細に示すように、この実施形態では、蓋カバー体２５の前端部に、一対の凹み部６１が左右対称状に形成されている。当該各凹み部６１には、前後３つの取付け穴６２が形成されている一方、内カバー体５１にも、蓋カバー体２５の各取付け穴６２に対応したボルト挿入穴６３が左右対称状に３箇所ずつ（合計６つ）空いている。蓋カバー体２５の各凹み部６１は、ボルト６４の頭又はナット６５を収納するのに十分な大きさに設定されている。
【００５４】
内カバー体５１を蓋カバー体２５の前部内面側に配置した状態で、凹み部６１内のうち各取付け穴６２の箇所に配置したナット６５に、ボルト６４をボルト挿通穴６３及び取付け穴６２を介して下方からねじ込むことにより、内カバー体５１は蓋カバー体２５の前部内面に着脱可能に固定されている。また、各凹み部６１に対する前後３つのボルト６４のうち真中のものには、弾性クリップ５２の基端が取り付けられている。各凹み部６１には合成樹脂製の化粧カバー６６が上方から嵌め込まれている。
【００５５】
他方、図２及び図６（ａ）（ｂ）に示すように、リヤカウル体８の後端部に形成された左右一対の凹所６７には、それぞれ前後２つの貫通穴６８が形成されている。リヤカウル体８における後部内面の貫通穴６８の箇所には、例えば板ばね材等からなるばねクリップ６９がボルト６４及びナット６５で固定されている。このばねクリップ６９は、リヤカウル体８を機体フレーム２の上方から被せることにより、機体フレーム２の後部に取り付けられた丸軸又は丸パイプ状の係合片７０に対して着脱可能に被嵌される。
【００５６】
リヤカウル体８の各凹所６７は、ボルト６４の頭又はナット６５を収納するのに十分な大きさに設定され、且つリヤカウル体８の後端部のうち蓋カバー体２５の各凹み部６１に対応する位置にある。従って、集草ボックス２３が集草姿勢のときには、左右の凹み部６１及び凹所６７は前後一列状に並ぶことになる（図２参照）。また、各凹所６７にも合成樹脂製の化粧カバー６６が上方から嵌め込まれている。
【００５７】
以上の構成により、化粧カバー６６でナット６５又はボルト６４の頭を隠すことができるから、蓋カバー体２５、ひいては芝刈機全体の美感を向上させることができる。しかも、集草ボックス２３が集草姿勢のときには、左右の凹み部６１及び凹所６７が前後一列状に並ぶので、これらを覆う化粧カバー６６は左右対称で並列状の模様を形成することになる。従って、芝刈機全体の美感がより一層向上するのである。
【００５８】
図９は案内支持手段５３の別例を示している。
【００５９】
図９のうち（ａ）では、断面逆Ｔ字状の案内レール８１が蓋カバー体２５における後部内面の略中央部位に溶接固定されている点において、前述の実施形態のものと相違している。この場合、各転動コロ５５は、前述の実施形態と同様に、案内レール８１を左右両側から挟み込むように、案内レール８１の左右側面から外向きに張り出した当接板部８１ａと蓋カバー体２５の後部内面との間に嵌め込まれている。案内レール８１の当接板部８１ａと蓋カバー体２５の後部内面との間は、請求項２に記載した溝状ガイド部に相当する。
【００６０】
（ｂ）では、案内支持手段５３が蓋カバー体２５の後部内面に取り付けられた下向き開口略Ｃ字状の案内レール８２と支持フレーム２８の上部後端に上向きに突設された一つの転動コロ８３とで構成されている点において、前述の実施形態のものと相違している。この場合、転動コロ８３は、案内レール８２の左右内面を転動するように、案内レール８２における下向きの溝状ガイド部８２ａ内に嵌め込まれている。
【００６１】
これらの例から分かるように、案内支持手段５３を構成する案内レールの形状は、転動コロを案内レールに沿って上下左右にがたつくことなく往復動可能とする構成になっていれば、任意の形状に設定することが可能である。また、転動コロの個数も案内レールの形態に合わせて設定すればよい。
【００６２】
本発明は、前述の実施形態に限らず、様々な態様に具体化できる。例えば、弾性クリップ５２を機体フレーム２側に固定し、門型フレーム２９を蓋カバー体２５の前部内面に固定するというように、配置関係を上記実施形態と逆にしてもよい。また同様に、案内レールを支持フレーム２８側に固定し、転動コロを蓋カバー体２５の後部内面に固定するというように、配置関係を上記実施形態と逆にすることもできる。
【図面の簡単な説明】
【００６３】
【図１】芝刈機の全体側面図である。
【図２】芝刈機の全体平面図である。
【図３】芝刈機の動力伝達系統を示す平面図である。
【図４】集草ボックスと蓋カバー体との回動関係を示す側断面図である。
【図５】機体フレームと集草ボックスとの連結構造を示す平面図である。
【図６】（ａ）は蓋カバー体の前部の取付け箇所を示す断面図、（ｂ）は（ａ）のＶＩｂ−ＶＩｂ視断面図である。
【図７】図２のＶＩＩ−ＶＩＩ視断面図である。
【図８】蓋カバー体の着脱態様を示す側断面図である。
【図９】（ａ）（ｂ）とも案内支持手段の別例を示す断面図である。
【符号の説明】
【００６４】
１  走行機体
２  機体フレーム
３，４  前後輪
１２  姿勢切替えレバー
２３  集草ボックス
２６  横支軸
２８  支持フレーム
２９  門型フレーム
２９ａ  水平軸部
５２  回動中心部としての弾性クリップ
５３  案内支持手段
５４，８１，８２  案内レール
５４ａ，８１ａ  当接板部
５５，８３  転動コロ
８２ａ  下向き溝
【図１】
2005204530.tif 000003
【図２】
2005204530.tif 000004
【図３】
2005204530.tif 000005
【図４】
2005204530.tif 000006
【図５】
2005204530.tif 000007
【図６】
2005204530.tif 000008
【図７】
2005204530.tif 000009
【図８】
2005204530.tif 000010
【図９】
2005204530.tif 000011